(57)【特許請求の範囲】
【請求項１】
被写体側からフォーカス系レンズとバリエータ系レンズを有し、温度センサを備えたズームレンズ装置であって、
フォーカス系レンズが、合焦用レンズと、該フォーカス系レンズの温度による焦点位置の変化を補正するための温度補正用レンズを備え、
フォーカス系レンズの環境温度による焦点位置の変化を補正するための温度補正用レンズの位置と、温度センサで検出された環境温度との予め取得された対応関係に基づき、温度補正用レンズが、温度補正用レンズ駆動機構により、合焦用レンズの位置及びバリエータ系レンズの位置と独立的に、温度センサで検出された温度に応じた光軸上の位置に移動するズームレンズ装置。
【請求項２】
所定の撮像箇所に所定の倍率で合焦させるプリセット機構を備え、
温度補正用レンズ駆動機構が、プリセット機構で定まる合焦用レンズの位置及びバリエータ系レンズの位置と独立的に、温度センサで検出された温度に応じて温度補正用レンズの光軸上の位置を移動させる請求項１記載のズームレンズ装置。
【請求項３】
温度補正用レンズ駆動機構が、ズームレンズ装置の使用時に、その使用時の環境温度に対応する位置に温度補正用レンズを動かす請求項１記載のズームレンズ装置。
【請求項４】
前記温度補正用レンズの位置と環境温度との関係に基づいて定まる、ズームレンズ装置使用時の温度補正用レンズの位置が、フォーカス系レンズのハウジング内の所定の位置を基準に定められる請求項３記載のズームレンズ装置。
【請求項５】
温度補正用レンズが、フォーカス系レンズにおいて最も被写体側にある請求項１記載のズームレンズ装置。
【発明の詳細な説明】
【技術分野】
【０００１】
本発明は、環境温度に起因する焦点ずれを簡便に補正することのできるズームレンズ装置に関し、特に、プリセット機構を備えたズームレンズ装置であっても、環境温度に起因する焦点ずれを簡便に補正するズームレンズ装置に関する。
【背景技術】
【０００２】
一般に、監視用ビデオカメラに用いるズームレンズ装置のレンズ系は、フォーカス系レンズとバリエータ系レンズを有し（特許文献１、特許文献２）、実使用上は、被写体側からフォーカス系レンズ、バリエータ系レンズ、補正系レンズ、マスター系レンズの４群構成のものが広く使用されている。これらのレンズ系には、夜間の監視用照明に近赤外光が使用されることから、可視光と近赤外光の収差を抑制するために蛍石レンズやＥＤレンズが使用されている。
【０００３】
また、監視用ビデオカメラに用いるズームレンズ装置には、予め、所定の撮像箇所を所
定の倍率で撮像するためのフォーカス系レンズの位置とバリエータ系レンズの位置を設定し、その撮像箇所を実際に撮像するときに、フォーカス系レンズとバリエータ系レンズを予め設定した位置に合わせるプリセット機構を備えたものがある。このようなプリセット機構を備えたズームレンズ装置において、環境温度の変化による焦点ずれの発生を防止する手法としては、ズームレンズ装置に温度センサを設け、プリセットの設定時の温度と現時点の温度に基づいて、フォーカス系レンズとバリエータ系レンズの位置をそれぞれ補正することが提案されている（特許文献１）。
【先行技術文献】
【特許文献】
【０００４】
【特許文献１】特開平11-205655号公報
【特許文献２】特開平11-64713号公報
【発明の概要】
【発明が解決しようとする課題】
【０００５】
従来のズームレンズ装置における環境温度の変化に対する補正機構では、環境温度に応じてフォーカスレンズの光軸上の位置とズームレンズの光軸上の位置のそれぞれについて補正量を求め、プリセット機構で設定したフォーカスレンズの位置とズームレンズの位置を変化させなくてはならず、補正機構が複雑となる。
【０００６】
これに対し、本発明は、単純な補正機構で環境温度の変化によるレンズ系の焦点ずれを良好に補正するズームレンズ装置を提供することを目的とする。
【課題を解決するための手段】
【０００７】
本発明者は、高倍率ズームレンズ装置における環境温度変化による焦点ずれに関し、次の点を見出した。
(i)焦点位置の長い高倍率のズームレンズ装置では、長焦点側において、フォーカス系レンズの環境温度による形状変化が、ズームレンズ装置全体の合焦に大きく影響を与え、特にズームレンズ装置が４群構成の場合、フォーカス系レンズの形状変化がズームレンズ装置全体の合焦に大きく影響し、マスター系レンズやバリエータ系レンズや補正系レンズの形状変化の影響は少ないこと、
(ii)一方、短焦点側では、フォーカス系レンズの形状変化がズームレンズ装置全体の合焦へ与える影響は少ないこと、
(iii)監視用高倍率ズームレンズ装置では、一般に遠距離を監視する目的で長焦点側で使用されるから、環境温度変化による焦点ずれは、長焦点側で補正できることが有効となること、
(iv)長焦点側で環境温度変化による焦点ずれを補正する場合、(i)により、フォーカス系レンズの補正をすることが重要となるところ、その場合の補正手法としては、フォーカス系レンズの一部を温度補正用レンズとし、温度補正用レンズをフォーカス系レンズ内の他のレンズに対して別個に駆動できるようにするのが有効であること、
(v)実際に、(iv)の温度補正用レンズを用いて、フォーカス系レンズの環境温度変化による焦点ずれを補正すると、プリセット機構で予め設定したフォーカス系レンズの位置は、実際の撮像時の環境温度の如何にかかわらず、補正なしでそのまま使用しても実使用上支障がないこと、
を見出した。
【０００８】
そこで、本発明は、被写体側からフォーカス系レンズとバリエータ系レンズを有し、温度センサを備えたズームレンズ装置であって、
フォーカス系レンズが、合焦用レンズと、該フォーカス系レンズの温度による焦点位置の変化を補正するための温度補正用レンズを備え、
温度補正用レンズが、温度補正用レンズ駆動機構により、合焦用レンズの位置及びバリエータ系レンズの位置と独立的に、温度センサで検出された温度に応じた光軸上の位置に移動するズームレンズ装置を提供する。
【０００９】
特に、上述のズームレンズ装置であって、所定の撮像箇所に所定の倍率で合焦させるプリセット機構を備え、温度補正用レンズ駆動機構が、プリセット機構で定まる合焦用レンズの位置及びバリエータ系レンズの位置と独立的に、温度センサで検出された温度に応じて温度補正用レンズの光軸上の位置を移動させる態様を提供する。
【００１０】
また、被写体側からフォーカス系レンズ、バリエータ系レンズ、補正系レンズ及びマスター系レンズを有し、マスター系レンズの一部が、マスター系レンズ温度補正用駆動機構により、温度センサで検出された温度に応じた光軸上の位置に移動する態様を提供する。
【発明の効果】
【００１１】
本発明のズームレンズ装置によれば、被写体側にあるフォーカス系レンズの一部を温度補正用レンズとし、この温度補正用レンズを動かすことによって、フォーカス系レンズの環境温度による焦点ずれを補正する。監視用ビデオカメラ等で使用される高倍率ズームレンズ装置の長焦点側での環境温度による合焦位置のずれは、殆ど被写体側のフォーカス系レンズの合焦位置のずれによるものであるため、フォーカス系レンズの温度補正を行うことにより、長焦点側では、他のレンズ系の温度補正をすることなく、合焦位置のずれを実質的に解消することができる。
【００１２】
したがって、本発明のズームレンズ装置によれば、被写体側のフォーカス系レンズの一部を温度に応じて動かすだけという簡便な構成で、高倍率ズームレンズ装置の環境温度による長焦点側での焦点ずれを実使用上解消することができる。
【００１３】
特に、ズームレンズ装置がプリセット機構を備えたものである場合には、プリセット値として設定された各レンズ系の位置を、環境温度の如何に関わらず使用することができる。したがって、プリセット機構に温度補正機構を組み込むことが不要となる。
【００１４】
また、ズームレンズ装置のレンズ構成を、被写体側からフォーカス系レンズ、バリエータ系レンズ、補正系レンズ及びマスター系レンズを備える４群構成とする場合に、マスター系レンズの一部を温度センサで検出された温度に応じて動かすと、環境温度による短焦点側での焦点ずれも実用上解消することができる。
【図面の簡単な説明】
【００１５】
【図１】実施例のズームレンズ装置を備えたカメラの概略断面図である。
【図２】ズーム動作時における各レンズの動作の説明図である。
【発明を実施するための形態】
【００１６】
以下、図面を参照しつつ本発明を詳細に説明する。なお、各図中、同一符号は同一又は同等の構成要素を表している。
【００１７】
図１は、本発明の一実施例のズームレンズ装置１のブロック図である。この実施例のズームレンズ装置１は、高いズーム倍率で遠方を監視する監視用カメラなどの用途に好適なズームレンズ装置である。
【００１８】
ズームレンズ装置１は４群のレンズ構成となっており、より具体的には、被写体側から順次、合焦を行うフォーカス系レンズ２、変倍機能を担うバリエータ系レンズ３、バリエータ系レンズ３の移動に伴う焦点移動を補正する補正系レンズ４、及び虚像を実像にするマスター系レンズ５を備え、補正系レンズ４とマスター系レンズ５との間には絞り（図示せず）を備えている。なお、これらフォーカス系レンズ２、バリエータ系レンズ３、補正系レンズ４及びマスター系レンズ５は、それぞれ組み合わせレンズで構成されている。
【００１９】
これらのレンズのうち、フォーカス系レンズ２には、色収差を抑えるために、特殊低分散ガラスで形成されたＥＤレンズ又は蛍石レンズが使用されている。そのため、フォーカス系レンズ２は他のレンズ３、４、５に比べると熱膨張率が高いことにより環境温度によって形状が変化しやすく、それにより焦点位置が変化しやすい。
【００２０】
フォーカス系レンズ２を支持するハウジングには、フォーカス系レンズ２の環境温度を検出するために温度センサ１０が設けられている。
【００２１】
本発明においては、フォーカス系レンズ２が、該フォーカス系レンズ２の温度による焦点位置の変化を補正するための温度補正用レンズ２Ａと、専ら合焦機能を担う合焦用レンズ２Ｂからなり、温度補正用レンズ２Ａが、合焦用レンズ２Ｂや、フォーカス系レンズ２以外のレンズ（即ち、バリエータ系レンズ３、補正系レンズ４、マスター系レンズ５）と独立的に、温度補正用レンズ駆動機構１１によって光軸Ｌ0上を移動可能であることが特徴的である。
【００２２】
温度補正用レンズ駆動機構１１は、位置制御用センサ、ステッピングモータ等を有し、温度補正用コントローラ２０に接続されている。温度補正用コントローラ２０には、フォーカス系レンズ２の環境温度による焦点位置の変化を補正するための温度補正用レンズ２Ａの光軸Ｌ0上の位置と、温度センサ１０で検出された温度との対応関係が予め調べられ、記憶されている。この温度補正用コントローラ２０は、ズームレンズ装置１の使用時に、上述の対応関係に従い、温度センサ１０で検出された温度に対応する光軸Ｌ0上の位置に、温度補正用レンズ２Ａが移動するように温度補正用レンズ駆動機構１１を制御する。
【００２３】
ここで、温度補正用レンズ２Ａの光軸Ｌ0上の位置は、合焦用レンズ２Ｂに対する相対的な位置ではなく、フォーカス系レンズ２における絶対的な位置として調べられ、温度補正用コントローラ２０に記憶される。例えば、フォーカス系レンズ２が或る温度で所定の焦点位置をもつ場合に、任意の温度でフォーカス系レンズ２がその焦点位置を維持するように、温度補正用レンズ２Ａの位置が、フォーカス系レンズ２のハウジング内の所定の位置を基準に調べられ、温度補正用コントローラ２０に記憶される。一方、そのフォーカス系レンズ２が他のレンズと共にズームレンズ装置１のハウジングに取り付けられ、ズームレンズ装置として使用される時には、図２に示すように、合焦用レンズ２Ｂは合焦のために光軸Ｌ0上を移動し、バリエータ系レンズ３及び補正系レンズ４は、所定のズーム倍率に応じて長焦点（TELE）側から短焦点（WIDE）側までの間の位置をとるが、温度補正用レンズ２Ａは、これら合焦用レンズ２Ｂ、バリエータ系レンズ３及び補正系レンズ４の位置にかかわらず、フォーカス系レンズ２のハウジングを基準に、温度との関係で定まる光軸Ｌ0上の位置に移動する。
【００２４】
本発明のズームレンズ装置において、合焦用レンズ２Ｂ、バリエータ系レンズ３、補正系レンズ４、マスター系レンズ５は、公知の４群構成のズームレンズと同様に構成することができるが、本実施例のズームレンズ装置１では、マスター系レンズ５が、上述のフォーカス系レンズ２の温度補正用レンズ２Ａと同様に、温度補正用レンズ５Ａとそれ以外のレンズ５Ｂとからなり、温度補正用レンズ５Ａが他のレンズ５Ｂに対して独立的に移動することができる。
【００２５】
マスター系レンズ５の温度補正用レンズ５Ａの駆動機構１２も位置制御用センサ、ステッピングモータ等を備え、温度補正用コントローラ２０に接続している。温度補正用コントローラ２０には、上述のフォーカス系レンズ２の温度補正用レンズ２Ａの場合と同様に、マスター系レンズ５の環境温度による焦点位置の変化を補正するための温度補正用レンズ５Ａの光軸Ｌ0上の位置と、温度センサ１０で検出された温度との対応関係が予め調べられて登録されている。温度補正用コントローラ２０は、この対応関係に基づき、温度センサ１０で検出された温度で定まる光軸Ｌ0上の位置に温度補正用レンズ５Ａが移動するように、駆動機構１２を制御する。
【００２６】
環境温度の変化による短焦点側での焦点位置のずれには、マスター系レンズ５の焦点位置のずれが大きく影響するため、マスター系レンズ５の一部を、マスター系レンズ５の温度補正用レンズ５Ａとして、温度センサ１０で検出された温度に応じて動かすことにより、短焦点側での環境温度による焦点位置のずれを実質上解消することができる。本発明においてこのようなマスター系レンズ５の温度補正機構は、ズームレンズ装置１の用途等に応じて必要に応じて設けられる。
【００２７】
一方、本実施例のズームレンズ装置１において、合焦用レンズ２Ｂ、バリエータ系レンズ３、補正系レンズ４には、プリセット機構を備えた駆動機構が取り付けられている。より具体的には、これらのレンズは、カム溝が加工された円筒状の部材に取り付けられ、光軸Ｌ0上を移動できるように構成されている。この場合、バリエータ系レンズ３と補正系レンズ４は、機械的に連動しており、図２に示すように長焦点側（ＴＥＬＥ）ないし短焦点側（ＷＩＤＥ）の配置をとる。
【００２８】
また、合焦用レンズ２Ｂには位置制御用センサとステッピングモータを備えた合焦用レンズ駆動機構１３が取り付けられ、バリエータ系レンズ３と補正系レンズ４にも位置制御用センサとステッピングモータを備えたズーム用駆動機構１４が取り付けられ、これらの駆動機構１３、１４がプリセットを制御するプリセット用コントローラ２１に接続される。
【００２９】
プリセット用コントローラ２１では、プリセット値の設定が行われる。即ち、所定の撮像箇所を所定の撮像倍率で撮像するために必要とされる各レンズの光軸Ｌ0上の位置が予め調べられ、プリセット用コントローラ２１に記憶される。また、プリセット用コントローラ２１には、ズームレンズ装置１の水平方向（パン）や垂直方向（チルト）を制御するパン・チルト駆動機構も接続され、所定の方向にある撮像箇所を撮像するために必要とされる、パン・チルト角度がプリセット用コントローラ２１に記憶される。
【００３０】
そして、プリセットした所定の撮像箇所を実際に撮像する時には、プリセット用コントローラ２１の制御により、ズームレンズ装置１は、プリセットした方向に向けられ、ズームレンズ装置内の合焦用レンズ２Ｂ、バリエータ系レンズ３及び補正系レンズ４が、プリセットした位置に移動する。
【００３１】
次に、図１のズームレンズ装置１の使用方法を説明する。
【００３２】
（ステップ１）
まず、ズームレンズ装置１には、その初期設定として、温度補正用コントローラ２０に、フォーカス系レンズ２の温度による焦点位置の変化を補正するために必要な温度補正用レンズ２Ａの位置とその環境温度との対応関係が記憶される。また、温度補正用コントローラ２０には、マスター系レンズ５の温度による焦点位置の変化を補正するために必要な温度補正用レンズ５Ａの位置とその環境温度との対応関係も記憶される。
【００３３】
（ステップ２）
ズームレンズ装置１をカメラに取り付け、撮像するときには、上述の温度補正用コントローラ２０で制御される温度補正用レンズ駆動機構１１を駆動し、温度補正用レンズ２Ａの位置と環境温度との対応関係に基づき、温度補正用レンズ２Ａの位置を、温度センサ１０で検出された当該撮像時の温度に対応する位置に移動させる。同様に、温度補正用コントローラ２０でマスター系レンズ５の温度補正用レンズ駆動機構１２を駆動し、マスター系レンズ５の温度補正用レンズ５Ａの位置を温度センサ１０で検出された当該撮影時の温度に対応する位置に移動させる。
【００３４】
（ステップ３）
次に、所定の撮像箇所に対してプリセット値を設定するときには、ステップ２のように、フォーカス系レンズの温度補正用レンズ２Ａ及びマスター系レンズ５の温度補正用レンズ５Ａの位置がそれぞれ補正される状態にしておく。そして、所定の撮像箇所を所定の倍率で撮像するために必要な、フォーカス系レンズ２（より具体的には合焦用レンズ２Ｂ）、バリエータ系レンズ３、補正系レンズ４及びマスター系レンズ５がとるべき位置を調べ、プリセット機能を制御するプリセット用コントローラ２１に記憶させる。このようなプリセット値の設定は、複数の撮像箇所に対して行うことができる。
【００３５】
（ステップ４）
プリセットした撮像箇所を実際に撮像する場合にも、ステップ２のようにフォーカス系レンズ２の温度補正用レンズ２Ａの位置と、マスター系レンズ５の温度補正用レンズ５Ａの位置とが補正される状態にしておく。そして、フォーカス系レンズ２、バリエータ系レンズ３、補正系レンズ４、及びマスター系レンズ５の位置を、それぞれプリセットした位置に移動させる。
【００３６】
このように、本発明のズームレンズ装置によれば、ズームレンズ装置１で撮像するときに、温度補正用レンズ２Ａの移動によりフォーカス系レンズ２の温度による焦点位置のずれが補正される。この補正における温度補正用レンズ２Ａの位置は、ステップ１で取得した、補正に必要な温度補正用レンズ２Ａの位置とその環境温度との対応関係によって定まり、ズームレンズ装置１を使用しているときの合焦用レンズ２Ｂやバリエータ系レンズ３等の位置には依存しない。
【００３７】
したがって、ズームレンズ装置１の温度変化による焦点ずれを簡便な機構で補正することができる。また、プリセット値の設定時の環境温度と、実際に撮像するときの環境温度に差異があっても、実際の撮像時には、プリセットした位置にフォーカス系レンズ２（より具体的には合焦用レンズ２Ｂ）やバリエータ系レンズ３等を合わせればよく、環境温度に応じてプリセット値を設定しなおすなどの煩雑な作業が不要となる。
【００３８】
なお、以上のように温度補正用レンズ２Ａを用いる補正は、高倍率のズームレンズ装置１が長焦点側にあるとき、具体的には、２０倍以上、好ましくは３４倍以上の高倍率であるときに、特に有効であり、短焦点側では、マスター系レンズ５の温度補正用レンズ５Ａを用いることが有効である。ただし、ズームレンズ装置が監視用カメラ等に搭載される場合、一般に高倍率の長焦点側で多用されるので、マスター系レンズ５の温度補正用レンズ５Ａは必要に応じて設ければ良い。また、マスター系レンズ５の温度補正方法としては、上述のように、マスター系レンズ５の一部を温度補正用レンズ５Ａとして使用することに限られず、マスター系レンズ５を全体として位置補正してもよい。この場合の補正は、環境温度による焦点ずれを低減又は解消することのできるマスター系レンズ５の位置と、その環境温度との対応関係を予め取得しておくことにより行う。
【００３９】
本発明において、ズームレンズ装置１は、上述した例に限らず、種々の態様をとることができる。例えば、温度補正用レンズ２Ａは、フォーカス系レンズ２を構成するレンズのうち被写体側のレンズとすることが好ましいが、バリエータ系レンズ３側のレンズとしてもよい。
【００４０】
また、バリエータ系レンズ３と補正系レンズ４の駆動機構を別個に設け、バリエータ系レンズ３と補正系レンズ４の位置を独立的に調整可能としてもよい。
さらに、ズームレンズ装置１は、４群以外のレンズ構成であってもよい。
【産業上の利用可能性】
【００４１】
本発明のズームレンズ装置１は、監視用ビデオカメラ、家庭用ビデオカメラなど種々の用途のカメラに搭載することができる。そして、プリセット機構が多用され、高倍率のズーム機能が必要とされ、昼夜だけでなく夜間も撮影するためにレンズ系に蛍石レンズやＥＤレンズが使用されている監視用カメラにおいて、特に有用である。
【符号の説明】
【００４２】
１    ズームレンズ装置
２    フォーカス系レンズ
２Ａ  温度補正用レンズ
２Ｂ  合焦用レンズ
３    バリエータ系レンズ
４    補正系レンズ
５    マスター系レンズ
５Ａ  マスター系レンズの温度補正用レンズ
５Ｂ  マスター系レンズの温度補正用レンズ以外のレンズ
１０    温度センサ
１１    温度補正用レンズ駆動機構
１２    マスター系レンズの温度補正用レンズ駆動機構
１３    合焦用レンズ駆動機構
１４    ズーム用駆動機構
２０    温度補正用コントローラ
２１    プリセット用コントローラ
Ｌ0      光軸
【図１】
0005935918.tif 000002
【図２】
0005935918.tif 000003